(57)【要約】【課題】メモリカードを携帯電話機に着脱する時のみならず、常にそれの存在を明らかにすると共に、それを携帯する時や収納しておく時など、それに損傷が起こらないようなメモリ収納装置を提供すること。【解決手段】メモリカードを出入自在に挿入できるメモリラックを携帯電話機に設け、メモリカードを覆うこのメモリラックに、これを貫通する貫通窓を設け、この貫通窓からメモリラック内に収納したメモリカードを望めるようにすると共に手指で該メモリカードをこの貫通窓を通して抜き差し自在に操作できるようにする。【選択図】図１
2007011681.tif 000002
【特許請求の範囲】
【請求項１】
メモリカードを保護するメモリ収納装置において、
携帯電話機に設けられ、メモリカードを出入自在に挿入できるメモリラックと、
該メモリラックを貫通し、携帯電話機の外部からメモリラック内に収納したメモリカードを望めると共に手指で該メモリカードを外部から移動自在に操作できる窓と、
を有することを特徴とするメモリ収納装置。
【請求項２】
メモリラックを携帯電話機の本体部分に設けたことを特徴とする請求項１に記載のメモリ収納装置。
【請求項３】
メモリラックを携帯電話機の蓋部分に設けたことを特徴とする請求項１に記載のメモリ収納装置。
【発明の詳細な説明】
【技術分野】
【０００１】
本発明は、メモリ収納装置に関し、特に携帯電話に併設して好適なメモリ収納装置に関する。
【背景技術】
【０００２】
携帯電話機は、有線電話機と相まって、一般的な通信手段として多用されている。また、携帯電話機は、出現当初利用者間の単なる通信手段であったが、最近になって携帯電話機の性能が向上するに伴い、それの機能も飛躍的に伸び、単なる通信手段から小型携帯コンピュータの機能も備えている。
携帯電話機の機能が向上するに伴い、これに記憶させる情報も多くなり、また携帯電話機に書き込む情報や、これから取り出して記憶しておく情報も多くなり、携帯電話機に設けた小型のメモリでは、容量が不足する事態が発生している。このため最近の携帯電話機には、外部メモリとしてメモリカードを装着できるようにしたものが出回っているし、特許文献１に示すようなカバーも開発されている。メモリカードとしては、各種のサイズや形状のものが開発されて使用されているが、小型である携帯電話機にとっては、出来うる限り小型のメモリカードの使用が望ましい。メモリカードが小型になると、形状が小さくなるばかりではなく、その物理的強度も小さくなるし、収納時にメモリカードをどこに収納したかを見失うことも考えられる。
【特許文献１】特開２００５−０８４７０３号公報
【発明の開示】
【発明が解決しようとする課題】
【０００３】
メモリカードが小型となり、且つその物理的強度も低くなると、メモリカードを携帯電話機に着脱する時のみならず、それを携帯する時や収納しておく時など、常にそれを見失うことなく、またそれに損傷が起こらないよう注意を払う必要がある。
【０００４】
本発明は、上述のような点を考慮したものであって、その目的は、メモリカードを携帯電話機に着脱する時のみならず、常にそれの存在を明らかにすると共に、またそれを携帯する時や収納しておく時など、常にそれに損傷が起こらないようなメモリ収納装置を提供することにある。
【課題を解決するための手段】
【０００５】
上記のごとき本発明の目的を達成するために、本願の請求項１に記載の発明は、メモリカードを保護するメモリ収納装置において、携帯電話機に設けられ、メモリカードを出入自在に挿入できるメモリラックと、該メモリラックを貫通し、携帯電話機の外部からメモリラック内に収納したメモリカードを望めると共に手指で該メモリカードを外部から移動自在に操作できる窓と、を有することを特徴とするメモリ収納装置を提供する。
本願の請求項２に記載の発明は、請求項１に記載の発明に加えて、メモリラックを携帯電話機の蓋部分に設けたことを特徴とするメモリ収納装置を提供する。
本願の請求項３に記載の発明は、請求項１に記載の発明に加えて、メモリラックを携帯電話機の蓋部分に設けたことを特徴とするメモリ収納装置を提供する。
【発明の効果】
【０００６】
携帯電話機に設けられ、メモリカードを出入自在に挿入できる収納室を持つメモリカードを覆うメモリラックと、該メモリラックを貫通し、外部から収納室内に収納したメモリカードを望めると共に手指で該メモリカードを外部から移動自在に操作できる窓と、を有するので、メモリカードを携帯電話機のメモリラックに装着しておけば、メモリカードを見失うこともなく損傷させることない。また、小さいメモリカードを持ち歩く際にも、メモリラックがメモリカードを覆っているので、多少の外力がこれに加わっても、その外力は、大きな携帯電話機に吸収され、メモリカードを損傷することはない。
【発明を実施するための最良の形態】
【０００７】
メモリカードを出入自在に挿入できるメモリラックを携帯電話機に設け、メモリカードを覆うこのメモリラックに、これを貫通する貫通窓を設け、この貫通窓からメモリラック内に収納したメモリカードを望めるようにすると共に手指で該メモリカードをこの貫通窓を通して移動自在に操作できるようにする。
【実施例】
【０００８】
次に本発明の一実施の形態を図面を用いて詳細に説明する。
図１は、本発明を適用した携帯電話機を示す斜視図である。図１において、１はごく一般的な携帯電話機である。携帯電話機１は、データを入力するキーボードや内部に制御部品を備えた回路基板、二次電池等を備えた本体部分２と、液晶表示体を備えた蓋部分３とを備え、蓋部分３は本体部分２に対して蝶番４により開閉できるようになっている。本体部分２の側面には、メモリカードスロット５が形成されており、この部分に外部記憶装置となるメモリカードが着脱自在に装着される。６は、この不使用のメモリカードを仮収納しておくメモリラックである。なお、蓋部分３には、この裏部分に設けられた液晶表示体の内容を大まかに示すサブ表示部７、カメラのレンズ８フラッシュ窓９が設けられている。図２は、本体部分２の裏側を示す。図２において、１０は二次電池、１１は、補助アンテナである。
メモリラック６は、図３に示すように、本体部分２の裏側となる合成樹脂部分をえぐって形成される。このメモリラック６は、メモリカード１３がすっぽり入るようにえぐられてこのえぐられた部分は窪み１２となる。また本体部分２の裏側で、メモリラック６の近傍には、貫通窓１４が開けられている。この貫通窓１４は、窪み１２にまで達しており、手指の先端を挿入できるようになっておりまた窪み１２を望めるようになっている。
【０００９】
次に、本発明実施例の作用について述べる。
メモリラック６にメモリカード１３を収納する場合について述べる。使用しない余分なメモリカードがあったとする。このメモリカードを携帯電話の近傍に常時配置しておけば、使用中のメモリカードと交換するとき便利である。このため予備のメモリカード１３の先端を図３に示すように、メモリラック６に半ば挿入し、全体をメモリラック６すなわち窪み１２の中に押し込む。なお、窪み１２の内部にバネ部分１５を用意し、メモリカード１３が窪み１２内に収容された時、このバネ部分１５がメディアカード１３を押さえつけて不要なメモリカードの飛び出しを防止すると良い。
メモリラック６からメモリカード１２を取り出す場合、貫通窓１４から覗いているメモリカード１３を親指等を使って外部方向に押し出す。この作用でメモリカード１３は、図３に示すように、その先端がメモリラック６から顔を出す。この状態で、メディアカード１３の側縁を手指で摘んで外に引き出す。そして、このメモリカード１３を、メモリカードスロット５に挿入するなり、その目的に応じて使用する。
【００１０】
なお、上記実施例は、メモリラック６にメモリカード１３を収納する窪み１２をメモリラック６に１段設けたが、携帯電話にメモリラックを設けるスペースがあれば、上下或いは平行に複数設けても良いし、また、メモリラックを蓋部分３に設けても良い。
【産業上の利用可能性】
【００１１】
以上本発明を携帯電話機に適用した場合に例を挙げて詳細に説明したが、携帯電話機に適用範囲を限ることはなく、パソコン、音響機器等他の機器にも適用の可能性がある。
【図面の簡単な説明】
【００１２】
【図１】図１は、本発明を携帯電話機に適用した実施例を示す斜視図である。
【図２】図２は、携帯電話機の裏面図である。
【図３】図３は、メモリタックを示す部分斜視図である。
【符号の説明】
【００１３】
１・・・携帯電話機
２・・・本体部分
３・・・蓋部分
４・・・蝶番
５・・・メモリカードスロット
６・・・メモリラック
７・・・サブ表示部
８・・・カメラレンズ
９・・・フラッシュ窓
１０・・・二次電池
１１・・・補助アンテナ
１２・・・窪み
１３・・・メモリカード
１４・・・貫通窓
１５・・・バネ部分
【図１】
2007011681.tif 000003
【図２】
2007011681.tif 000004
【図３】
2007011681.tif 000005